(57)【要約】【課題】物品又は物品群の間の間隔を搬送中に安定的に縮める。【解決手段】物品搬送システム１は、物品群を間欠的に供給する物品供給装置１０と、物品供給装置１０から供給される物品群を載せる中継搬送ベルト２１と、中継搬送ベルト２１を駆動する第１駆動部２２と、中継搬送ベルト２１を物品群の搬送方向αに前進させる第２駆動部２３と、を有する中継装置２０と、搬送方向αにおける中継搬送ベルト２１の下流側端部２１Ｂよりも下方に配置され、下流側端部２１Ｂからリリースされる物品群を搬送方向αと同一方向に搬送する連続搬送ベルト３１を有する連続搬送装置３０と、を備える。中継装置２０は、連続搬送ベルト３１の中継装置２０側の端部よりも搬送方向αの下流側で且つ連続搬送ベルト３１の上方において、中継搬送ベルト２１の下流側端部２１Ｂが連続搬送ベルト３１の搬送速度よりも速い速度で搬送方向αに前進するように第２駆動部２３を駆動する。【選択図】図１
2020075809.tif 000002
【特許請求の範囲】
【請求項１】
物品又は複数の物品からなる物品群を間欠的に供給する物品供給装置と、
前記物品供給装置から供給される前記物品又は物品群を載せる中継搬送ベルトと、前記中継搬送ベルトを駆動する第１駆動部と、前記中継搬送ベルトの全体を前記物品又は物品群の搬送方向に前進させるか、又は前記中継搬送ベルトを前記物品又は物品群の搬送方向に伸長させる第２駆動部と、を有する中継装置と、
前記搬送方向における前記中継搬送ベルトの下流側端部よりも下方に配置され、前記下流側端部からリリースされる前記物品又は物品群を載せて前記搬送方向と同一方向に搬送する連続搬送ベルトを有し、前記連続搬送ベルトを一定の搬送速度で駆動する連続搬送装置と、を備え、
前記中継装置は、前記連続搬送ベルトの前記中継装置側の端部よりも前記搬送方向の下流側で且つ前記連続搬送ベルトの上方において、前記中継搬送ベルトの前記下流側端部が前記連続搬送ベルトの搬送速度よりも速い速度で前記搬送方向に前進又伸長するように前記第２駆動部を駆動する、物品搬送システム。
【請求項２】
前記中継装置は、前記中継搬送ベルトの前記下流側端部を前記連続搬送ベルトの上方において前進又伸長させた後、前記中継搬送ベルトを前記第１駆動部によって駆動しながら前記第２駆動部によって前記中継搬送ベルトを後退させつつ、前記下流側端部から前記物品又は物品群をリリースするリリース状態に移行し、
前記リリース状態においては、前記中継搬送ベルトの搬送速度をＶＡ、前記中継搬送ベルトの後退速度をＶＢ、前記連続搬送ベルトの搬送速度をＶＣとしたとき、ＶＡ＋ＶＢ＝ＶＣの関係が成り立つように、前記第１駆動部及び前記第２駆動部が制御される、請求項１に記載の物品搬送システム。
【請求項３】
前記中継搬送ベルトは、前記下流側端部にかけて斜め下方に傾斜する傾斜部分を有する、請求項１又は２に記載の物品搬送システム。
【請求項４】
前記中継搬送ベルトの前記下流側端部と前記連続搬送ベルトとの上下方向の隙間は、前記物品の上下方向の高さ以下になっている、請求項１乃至３のいずれかに記載の物品搬送システム。
【発明の詳細な説明】
【技術分野】
【０００１】
本発明は、間欠的に搬送される物品又は物品群の間の間隔を搬送中に縮めることができる物品搬送システムに関する。
【背景技術】
【０００２】
複数の物品を所定箇所からまとめて取り出すアンローダと、アンローダが取り出した複数の物品を搬送するコンベア装置とを有する物品搬送システムが知られている。特許文献１はアンローダの一例を開示し、このアンローダは、複数の物品が収容されたトレイを反転させることにより、トレイから複数の物品をまとめて取り出すことができる。
【０００３】
特許文献１に開示されるようなアンローダを備える物品搬送システムでは、アンローダが複数の物品を取り出してコンベア装置に供給した後、アンローダが次の取り出しに移るため、物品の供給が間欠的に行われる。この際、コンベア装置がアンローダから供給された物品を一定の搬送速度で搬送する場合には、コンベア装置上に順次供給されて搬送される複数の物品のグループ（以下、物品群と呼ぶ。）の間に間隔が形成されることになる。
【０００４】
コンベア装置上における物品群の間の間隔は搬送ピッチと呼ばれ、搬送ピッチは、大きくなる程、コンベア装置下流側の作業の効率を低下させる。例えばコンベア装置で搬送される物品を順次梱包する場合には、搬送ピッチが大きい程、梱包作業を停止せざるを得ない時間が長くなり、作業ロスが大きくなってしまう。
【０００５】
上述のような作業効率の問題を考慮し、この種の物品搬送システムでは、搬送ピッチを短縮化するための中継装置をアンローダとコンベア装置との間に設ける場合がある。このような中継装置としては、例えばアンローダが取り出した物品を吸盤によって吸着し、当該物品をコンベア装置の搬送速度よりも速い速度で移動させるものが知られている。この中継装置では、吸着した物品をコンベア装置上で先行している物品に近づけてコンベア装置に供給できるため、搬送ピッチの短縮化を図ることが可能となる。
【先行技術文献】
【特許文献】
【０００６】
【特許文献１】特許第４５５３１３１号公報
【発明の概要】
【発明が解決しようとする課題】
【０００７】
しかしながら、上述のように吸盤を利用する中継装置は物品を吸着しつつ比較的速い速度で移動させるため、物品の搬送状態が不安定になる虞がある。特に搬送対象の物品に水滴が付着している場合には、吸盤から物品が落下するリスクが高くなる。例えばレトルト食品用の製品袋は上述したような物品搬送システムで搬送される場合があるが、このような製品袋は通常、レトルト処理後に液体が付着するため、中継装置によって搬送される際の吸着状態が不安定になりやすい。
【０００８】
本発明は上記実情を考慮してなされたものであり、間欠的に搬送される物品又は物品群の間の間隔を搬送中に安定的に縮めることができる物品搬送システムを提供することを目的とする。
【課題を解決するための手段】
【０００９】
本発明に係る物品搬送システムは、物品又は複数の物品からなる物品群を間欠的に供給する物品供給装置と、前記物品供給装置から供給される前記物品又は物品群を載せる中継搬送ベルトと、前記中継搬送ベルトを駆動する第１駆動部と、前記中継搬送ベルトの全体を前記物品又は物品群の搬送方向に前進させるか、又は前記中継搬送ベルトを前記物品又は物品群の搬送方向に伸長させる第２駆動部と、を有する中継装置と、前記搬送方向における前記中継搬送ベルトの下流側端部よりも下方に配置され、前記下流側端部からリリースされる前記物品又は物品群を載せて前記搬送方向と同一方向に搬送する連続搬送ベルトを有し、前記連続搬送ベルトを一定の搬送速度で駆動する連続搬送装置と、を備え、前記中継装置は、前記連続搬送ベルトの前記中継装置側の端部よりも前記搬送方向の下流側で且つ前記連続搬送ベルトの上方において、前記中継搬送ベルトの前記下流側端部が前記連続搬送ベルトの搬送速度よりも速い速度で前記搬送方向に前進又伸長するように前記第２駆動部を駆動する。
【００１０】
前記中継装置は、前記中継搬送ベルトの前記下流側端部を前記連続搬送ベルトの上方において前進又伸長させた後、前記中継搬送ベルトを前記第１駆動部によって駆動しながら前記第２駆動部によって前記中継搬送ベルトを後退させつつ、前記下流側端部から前記物品又は物品群をリリースするリリース状態に移行してもよく、前記リリース状態においては、前記中継搬送ベルトの搬送速度をＶＡ、前記中継搬送ベルトの後退速度をＶＢ、前記連続搬送ベルトの搬送速度をＶＣとしたとき、ＶＡ＋ＶＢ＝ＶＣの関係が成り立つように、前記第１駆動部及び前記第２駆動部が制御されてもよい。
【００１１】
前記中継搬送ベルトは、前記下流側端部にかけて斜め下方に傾斜する傾斜部分を有してもよい。
【００１２】
前記中継搬送ベルトの前記下流側端部と前記連続搬送ベルトとの上下方向の隙間は、前記物品の上下方向の高さ以下になっていてもよい。
【発明の効果】
【００１３】
本発明によれば、間欠的に搬送される物品又は物品群の間の間隔を搬送中に安定的に縮めることができる。
【図面の簡単な説明】
【００１４】
【図１】本発明の一実施の形態に係る物品搬送システムの概略的な側面図である。
【図２】図１に示す物品搬送システムの動作を説明するための図である。
【図３】図１に示す物品搬送システムの動作を説明するための図である。
【図４】図１に示す物品搬送システムの動作を説明するための図である。
【図５】図１に示す物品搬送システムの動作を説明するための図である。
【図６】図１に示す物品搬送システムの動作を説明するための図である。
【図７】図１に示す物品搬送システムの動作を説明するための図である。
【図８】図１に示す物品搬送システムの動作を説明するための図である。
【図９】図１に示す物品搬送システムの動作を説明するための図である。
【発明を実施するための形態】
【００１５】
以下、図面を参照しながら本発明の一実施の形態について説明する。
【００１６】
図１は本発明の一実施の形態に係る物品搬送システム１の概略的な側面図である。図１に示される物品搬送システム１は、物品供給装置１０と、中継装置２０と、連続搬送装置３０とを備える。物品供給装置１０は物品又は複数の物品からなる物品群を中継装置２０に順次供給し、中継装置２０は物品供給装置１０からの物品又は物品群を連続搬送装置３０に供給する。連続搬送装置３０は中継装置２０から供給された物品又は物品群をさらに搬送するようになっている。
【００１７】
物品供給装置１０は、物品又は物品群を載せる循環式の供給用搬送ベルト１１を備え、供給用搬送ベルト１１を図示省略するモータ等を有する駆動部で駆動することにより供給用搬送ベルト１１上面に載せられた物品又は物品群を搬送するようになっている。供給用搬送ベルト１１上の物品又は物品群は供給用搬送ベルト１１の下流側端部１１Ｂからリリースされ、リリースされた物品又は物品群が中継装置２０によって受け取られ、これにより、物品供給装置１０からの物品又は物品群が中継装置２０に供給される。
【００１８】
本実施の形態では、物品供給装置１０が複数の物品Ｗからなる物品群Ｗｇを供給用搬送ベルト１１に載せ、１回の物品供給動作で一の物品群Ｗｇを中継装置２０に供給するようになっている。その後、物品供給装置１０は次の物品群Ｗｇを供給用搬送ベルト１１に載せて中継装置２０に供給する。これにより、物品供給装置１０は物品群Ｗｇを間欠的に供給するようになっている。なお、本実施の形態では物品供給装置１０が物品群Ｗｇを間欠的に供給するが、変形例として、物品供給装置１０は一つの物品Ｓを間欠的に供給するようになっていてもよい。
【００１９】
中継装置２０は、物品供給装置１０から供給される物品群Ｗｇを載せる中継搬送ベルト２１と、中継搬送ベルト２１を駆動するモータ等を含む第１駆動部２２と、中継搬送ベルト２１上の物品群Ｗｇの搬送方向αに中継搬送ベルト２１の全体を前進させる第２駆動部２３と、を有する。
【００２０】
中継搬送ベルト２１は循環式のコンベアベルトであり、第１駆動部２２によって駆動されることで上面に載せた物品群Ｗｇを搬送する。中継搬送ベルト２１上面における物品群Ｗｇの搬送方向αは、物品供給装置１０の供給用搬送ベルト１１上面における物品群Ｗｇの搬送方向と同一の方向となっている。
【００２１】
搬送方向αにおける中継搬送ベルト２１の上流側端部２１Ａは、供給用搬送ベルト１１の下流側端部１１Ｂに近接し、中継搬送ベルト２１の上面における上流側端部２１Ａの近傍及び供給用搬送ベルト１１の上面における下流側端部１１Ｂの近傍の上下方向位置は略同一の位置に設定される。また、中継搬送ベルト２１は物品供給装置１０から物品群Ｗｇを供給される際、物品供給装置１０の供給用搬送ベルト１１と同じ速度で駆動される。これにより、物品群Ｗｇを、供給用搬送ベルト１１上に載せられた際の配列状態を維持しながら供給用搬送ベルト１１から中継搬送ベルト２１に供給することが可能となる。
【００２２】
本実施の形態では、図１示す、中継搬送ベルト２１の上流側端部２１Ａが供給用搬送ベルト１１の下流側端部１１Ｂに近接した位置のことを、「受け取り状態」と定義し、この受け取り状態において、中継装置２０は物品供給装置１０から物品群Ｗｇを供給される。また、中継装置２０は受け取り状態から第２駆動部２３によって中継搬送ベルト２１を前進させることで前進状態（又は伸長状態）に移行し、前進状態の中継搬送ベルト２１を後退させることで受け取り状態に復帰する。
【００２３】
中継搬送ベルト２１上の物品群Ｗｇは中継搬送ベルト２１の搬送方向αにおける下流側端部２１Ｂからリリースされ、リリースされる物品群Ｗｇは連続搬送装置３０に供給されることになる。詳しくは、中継搬送ベルト２１上の物品群Ｗｇは中継搬送ベルト２１の下流側端部２１Ｂから落とされるようにして連続搬送装置３０に供給される。ここで、図１に示すように、中継搬送ベルト２１は、下流側端部２１Ｂにかけて斜め下方に傾斜する傾斜部分２１Ｓを有する。これにより、中継搬送ベルト２１はその傾斜部分２１Ｓに物品群Ｗｇを通過させることで、連続搬送装置３０にスムーズに物品群Ｗｇを供給することが可能となる。
【００２４】
本実施の形態における第２駆動部２３は、床面に対して固定的に配置されるベース部２４と、ベース部２４に往復動自在に設けられる可動部２５とを有し、図示省略するモータ等の駆動源により可動部２５を連続搬送装置３０側に前進させるか又は物品供給装置１０側に後退させることで、中継搬送ベルト２１の全体を往復動させる。ベース部２４上で可動部２５を往復動させる構造は特に限られるものではなく、例えばタイミングベルトとプーリとを利用した構造、ラックアンドピニオン、ボールネジを利用した構造等が採用されてもよい。
【００２５】
中継装置２０では、第１駆動部２２と第２駆動部２３とを別々に駆動することができる。これにより、中継装置２０は、第１駆動部２２による中継搬送ベルト２１の駆動を停止しつつ中継搬送ベルト２１を第２駆動部２３によって前進又は後退させたり、第１駆動部２２によって中継搬送ベルト２１の駆動しつつ中継搬送ベルト２１を第２駆動部２３によって前進又は後退させたりすることが可能となっている。
【００２６】
続いて、連続搬送装置３０は、中継搬送ベルト２１の下流側端部２１Ｂよりも下方に配置され、当該下流側端部２１Ｂからリリースされる物品群Ｗｇを載せて搬送方向αと同一方向に搬送する連続搬送ベルト３１を有し、モータ等からなる駆動源によって連続搬送ベルト３１を一定の搬送速度で駆動する。本実施の形態では、連続搬送ベルト３１の中継装置２０側の部分が受け取り状態における中継搬送ベルト２１の下流側端部２１Ｂ側の部分と上下方向で重なっている。また、中継搬送ベルト２１の下流側端部２１Ｂと連続搬送ベルト３１との上下方向の隙間は、物品Ｗの上下方向の高さ以下になっている。
【００２７】
以上に説明した本実施の形態における物品搬送システム１において、中継装置２０は、連続搬送ベルト３１の中継装置２０側の端部３１Ａよりも搬送方向αの下流側で且つ連続搬送ベルト３１の上方において、その中継搬送ベルト２１の下流側端部２１Ｂが連続搬送ベルト３１の一定の搬送速度よりも速い速度で、搬送方向αに前進するように第２駆動部２３を駆動するようになっている。これにより、中継装置２０から供給され連続搬送ベルト３１上で順次搬送される物品群Ｗｇの間の隙間である搬送ピッチを縮めることが可能となる。
【００２８】
つまり、中継装置２０は、図１に示される受け取り状態において中継搬送ベルト２１を第１駆動部２２によって駆動する一方、第２駆動部２３を駆動しない場合であっても、連続搬送装置３０の連続搬送ベルト３１上に物品群Ｗｇを順次供給することができる。しかしながら、この場合、中継装置２０は物品供給装置１０から間欠的に物品群Ｗｇを供給され、物品供給装置１０の１回の供給操作で供給される物品群Ｗｇ単位で連続搬送装置３０に物品群Ｗｇを供給する。そのため、連続搬送ベルト３１上で順次搬送される物品群Ｗｇの間には比較的大きい搬送ピッチが形成されてしまう。
これに対し、本実施の形態では上述したように第２駆動部２３によって中継搬送ベルト２１を前進させ、中継搬送ベルト２１の下流側端部２１Ｂを先行している物品群Ｗｇに近づけて、下流側端部２１Ｂから物品群Ｗｇの供給が開始されることになる。このような動作によって、連続搬送ベルト３１上で順次搬送される物品群Ｗｇの間に形成される搬送ピッチを縮めることができる。
【００２９】
また、中継装置２０は上述のように中継搬送ベルト２１を連続搬送ベルト３１の上方において前進させた後、中継搬送ベルト２１を第１駆動部２２によって駆動しながら第２駆動部２３によって中継搬送ベルト２１を後退させつつ、下流側端部２１Ｂから物品群Ｗｇをリリースするリリース状態に移行する。このリリース状態においては、中継搬送ベルト２１の下流側端部２１Ｂから連続搬送装置３０に物品群Ｗｇが供給される。
【００３０】
ここで、リリース状態における中継搬送ベルト２１の搬送速度をＶＡ、中継搬送ベルト２１の後退速度をＶＢ、連続搬送ベルト３１の搬送速度をＶＣとしたとき、中継装置２０は、ＶＡ＋ＶＢ＝ＶＣの関係が成り立つように第１駆動部２２及び第２駆動部２３を駆動する。ただし、リリース状態における速度の関係は上述の関係に限られるものではない。
【００３１】
以下、物品搬送システム１の動作の一例について図２乃至９を参照しつつ詳述する。
【００３２】
図２は、受け取り状態にある中継装置２０に対し物品供給装置１０が物品群Ｗｇの供給を完了した状態を示している。図２においては、中継装置２０の中継搬送ベルト２１上に物品群Ｗｇが載せられている。本実施の形態では、物品供給装置１０から中継搬送ベルト２１に物品群Ｗｇが供給される際、中継搬送ベルト２１が物品供給装置１０の供給用搬送ベルト１１と同じ速度で駆動され、物品群Ｗｇの供給が完了した際に中継搬送ベルト２１の駆動が停止される。しかしながら、物品供給装置１０からの物品群Ｗｇの供給が完了した後においても、中継搬送ベルト２１の駆動を継続させてもよい。
【００３３】
上述のように中継搬送ベルト２１上に物品群Ｗｇが載せられると、この例では、図３の白抜きの矢印に示すように中継装置２０は、第２駆動部２３によって中継搬送ベルト２１を連続搬送ベルト３１の上方において前進させる（前進状態）。
【００３４】
次いで、中継装置２０は、図４に示すように中継搬送ベルト２１を第１駆動部２２によって駆動しながら第２駆動部２３によって中継搬送ベルト２１を後退させつつ、下流側端部２１Ｂから物品群Ｗｇをリリースする（リリース状態）。これにより、中継搬送ベルト２１の下流側端部２１Ｂから連続搬送装置３０に物品群Ｗｇが供給される。
【００３５】
ここで、リリース状態においては、中継搬送ベルト２１の搬送速度をＶＡ、中継搬送ベルト２１の後退速度をＶＢ、連続搬送ベルト３１の搬送速度をＶＣとしたとき、ＶＡ＋ＶＢ＝ＶＣの関係が成り立つように、第１駆動部２２及び第２駆動部２３が制御される。これにより、図２乃至図４に示すように、物品群Ｗｇが中継搬送ベルト２１上に載せられた際の配列状態を維持しながら中継搬送ベルト２１から連続搬送ベルト３１に物品群Ｗｇが供給される。また、中継搬送ベルト２１が下流側端部２１Ｂにかけて斜め下方に傾斜する傾斜部分２１Ｓを有することで、下流側端部２１Ｂと連続搬送ベルト３１との間の上下方向距離が縮められるため、物品群Ｗｇが安定的に供給される。
【００３６】
次いで、連続搬送ベルト３１に対する中継搬送ベルト２１からの物品群Ｗｇの供給が完了すると、図５に示すように、中継装置２０は受け取り状態に復帰する。この際、物品供給装置１０は、中継装置２０に次に供給するための物品群Ｗｇをその供給用搬送ベルト１１上に載せている。
【００３７】
次いで、図６に示すように、中継装置２０に新たな物品群Ｗｇが物品供給装置１０の供給用搬送ベルト１１から供給される。図６は、中継装置２０に対し物品供給装置１０からの新たな物品群Ｗｇの供給が完了した状態を示している。
【００３８】
ここで、連続搬送装置３０の連続搬送ベルト３１は一定の搬送速度で駆動されているため、中継装置２０に新たな物品群Ｗｇが供給されている間に、連続搬送ベルト３１上の先行している物品群Ｗｇは中継装置２０から漸次離れていく。そして、中継装置２０に対する新たな物品群Ｗｇの供給が完了した際には、連続搬送ベルト３１上の先行している物品群Ｗｇと、中継搬送ベルト２１上の新たな物品群Ｗｇとの間に搬送ピッチＡが形成される。
【００３９】
ここで、本実施の形態では、上述のような搬送ピッチＡを縮めるべく、図７の白抜きの矢印に示すように中継装置２０が第２駆動部２３によって中継搬送ベルト２１を連続搬送ベルト３１の上方において前進させる（前進状態）。続いて中継装置２０は、図８に示すように中継搬送ベルト２１を第１駆動部２２によって駆動しながら第２駆動部２３によって中継搬送ベルト２１を後退させつつ、下流側端部２１Ｂから物品群Ｗｇをリリース（リリース状態）し、中継搬送ベルト２１の下流側端部２１Ｂから連続搬送装置３０に新たな物品群Ｗｇを供給する。これにより、連続搬送ベルト３１上においては、先行している物品群Ｗｇと新たな物品群Ｗｇとの間の搬送ピッチが、上述の搬送ピッチＡよりも縮められた搬送ピッチＢとなる。
【００４０】
本実施の形態では、中継装置２０から連続搬送装置３０に物品群Ｗｇを供給する際、中継装置２０は中継搬送ベルト２１上に載せた物品群Ｗｇの姿勢を特段変更することなく（反転等なく）、連続搬送装置３０に供給するため、物品Ｗが落下等することがなく、物品群Ｗｇの間の搬送ピッチが安定的に縮められる。
また、中継装置２０が連続搬送装置３０に新たな物品群Ｗｇを供給するべくリリース状態に移行した際においても、リリース状態における中継搬送ベルト２１の搬送速度をＶＡ、中継搬送ベルト２１の後退速度をＶＢ、連続搬送ベルト３１の搬送速度をＶＣとしたとき、ＶＡ＋ＶＢ＝ＶＣの関係が成り立つ。これにより、物品群Ｗｇが中継搬送ベルト２１上に載せられた際の配列状態を維持しながら中継搬送ベルト２１から連続搬送ベルト３１に物品群Ｗｇが供給される。
【００４１】
したがって、本実施の形態に係る物品搬送システム１によれば、間欠的に搬送される物品又は物品群の間の間隔である搬送ピッチを搬送中に安定的に縮めることができる。具体的には、中継装置２０の中継搬送ベルト２１のみを単に駆動して、連続搬送ベルト３１上に物品群Ｗｇを順次供給する場合に比べて、連続搬送ベルト３１上の物品群Ｗｇの間の搬送ピッチを縮めることができる。これにより、連続搬送ベルト３１で搬送される物品Ｗｇに対する下流側での作業の単位時間当たりの処理量を増加させることが可能となるため、当該作業の作業効率を向上できる。
【００４２】
また、中継装置２０は中継搬送ベルト２１の下流側端部２１Ｂを連続搬送ベルト３１の上方において前進又伸長させた後、中継搬送ベルト２１を第１駆動部２２によって駆動しながら第２駆動部２３によって中継搬送ベルト２１を後退させつつ、その下流側端部２１Ｂから物品群Ｗｇをリリースするリリース状態に移行する。そして、このリリース状態においては、中継搬送ベルト２１の搬送速度をＶＡ、中継搬送ベルト２１の後退速度をＶＢ、連続搬送ベルト３１の搬送速度をＶＣとしたとき、ＶＡ＋ＶＢ＝ＶＣの関係が成り立つ。
【００４３】
これにより、物品群Ｗｇを中継搬送ベルト２１上に載せられた際の配列状態を維持しながら連続搬送ベルト３１に供給することができ、安定的な搬送状態が得られる。
【００４４】
また、中継搬送ベルト２１は下流側端部２１Ｂにかけて斜め下方に傾斜する傾斜部分２１Ｓを有し、これにより、下流側端部２１Ｂと連続搬送ベルト３１との間の上下方向距離が縮められる。そのため、中継搬送ベルト２１から連続搬送ベルト３１に物品群Ｗｇを安定的に供給でき、連続搬送ベルト３１上で物品Ｗが姿勢を崩すことを抑制できる。
【００４５】
また、中継搬送ベルト２１の下流側端部２１Ｂと連続搬送ベルト３１との上下方向の隙間は物品Ｗの上下方向の高さ以下になっている。これにより、中継装置２０及び連続搬送装置３０の上下方向における占有範囲を抑制できるとともに、中継搬送ベルト２１の下流側端部２１Ｂと連続搬送ベルト３１との間から製品が落下することを抑制できる。
【００４６】
以上、本発明の一実施の形態を説明したが、本発明は、上述の実施の形態に限定されるものではなく、上述の実施の形態には各種の変更が加えられてもよい。
【００４７】
例えば上述の実施の形態では、中継装置２０が、第２駆動部２３によって中継搬送ベルト２１の全体を前進又は後退させるように構成されているが、中継装置２０は、いわゆるシャトルコンベアとして構成されてもよい。この場合、中継装置２０は、中継搬送ベルト２１を搬送方向αに伸長させるとともに、搬送方向αとは反対の方向に中継搬送ベルト２１を収縮させるように構成される。
【００４８】
また、上述の実施の形態では、物品供給装置１０が、中継装置２０上における物品群Ｗｇの搬送方向αと同一の方向で物品群を中継装置２０に供給するようになっている。しかしながら、物品供給装置１０は、例えば水平面上で搬送方向αと交差する方向、具体的に直交する方向や、中継装置２０の上方から物品又は物品群を供給してもよい。
【符号の説明】
【００４９】
１…物品搬送システム
１０…物品供給装置
１１…供給用搬送ベルト
１１Ｂ…下流側端部
２０…中継装置
２１…中継搬送ベルト
２１Ａ…上流側端部
２１Ｂ…下流側端部
２１Ｓ…傾斜部分
２２…第１駆動部
２３…第２駆動部
２４…ベース部
２５…可動部
３０…連続搬送装置
３１…連続搬送ベルト
Ｗ…物品
Ｗｇ…物品群
【図１】
2020075809.tif 000003
【図２】
2020075809.tif 000004
【図３】
2020075809.tif 000005
【図４】
2020075809.tif 000006
【図５】
2020075809.tif 000007
【図６】
2020075809.tif 000008
【図７】
2020075809.tif 000009
【図８】
2020075809.tif 000010
【図９】
2020075809.tif 000011